(57)【要約】テレビの高周波信号の出力ラインを切換えるテレビスイッチモジュールにおいて、第１及び第２の入力ラインと、入力信号を各々増幅する第１及び第２のアンプと、増幅後の信号を出力する第１及び第２の出力ラインと、入力信号を分岐する分岐装置と、信号ラインを切換えるリレースイッチと、リレースイッチを切換え動作させるリレースイッチ制御手段と、各アンプへの電源供給を制御し、使用しない入力ラインに介挿されたアンプへの電源供給を停止させる電源制御手段と、を備えた。これにより、必要なアンプのみを動作させ、消費電力を低減することができる。【特許請求の範囲】
【請求項１】
テレビの高周波信号の出力ラインを切換えるテレビスイッチモジュールにおいて、
テレビの高周波信号が各々入力される第１及び第２の入力ラインと、
同信号の増幅後の信号を出力する第１及び第２の出力ラインと、
前記各入力ラインに介挿され、入力信号を各々増幅する第１及び第２のアンプと、
前記第１又は第２のアンプの入力側又は出力側の少なくとも一つのラインに配置され、入力信号を分岐する分岐装置と、
前記とは別のもう一つのラインに配置され、信号を出力する出力ラインとして、前記分岐装置による分岐ライン又は当該ラインのいずれかに切換えるリレースイッチと、
外部からの操作に基づいて前記リレースイッチを切換え動作させるリレースイッチ制御手段と、
前記各アンプへの電源供給を制御し、使用しない入力ラインに介挿されたアンプへの電源供給を停止させる電源制御手段と、
を備えたことを特徴とするテレビスイッチモジュール。
【請求項２】
前記分岐装置は、前記各入力ラインに介挿された第１及び第２のアンプの出力側にそれぞれ配置された２つの装置から成り、
前記リレースイッチは、各ラインに配置される第１及び第２のリレースイッチから成り、各リレースイッチは、一方のラインに配置された前記分岐装置による分岐ラインの一つと、他方のラインに配置された前記分岐装置による分岐ラインの一つがそれぞれ接続されるリレーの切換接点と、リレーの共通接点とを有し、この共通接点が前記各出力ラインに接続されることを特徴とする請求項１に記載のテレビスイッチモジュール。
【請求項３】
前記第１及び第２のアンプへの電源を、電源供給ラインを通して供給し、
前記電源制御手段は、前記電源供給ラインを開閉する電源スイッチと、この電源スイッチを開閉制御する信号を伝える電源制御信号線とを備えることを特徴とする請求項２に記載のテレビスイッチモジュール。
【請求項４】
前記アンプの増幅出力トランジスタにアクティブ電流安定回路を付加したことを特徴とする請求項２に記載のテレビスイッチモジュール。
【請求項５】
前記第１及び第２のアンプへの電源を、前記出力ライン側から前記リレースイッチの接点を介して供給することを特徴とする請求項２に記載のテレビスイッチモジュール。
【請求項６】
前記アンプの増幅出力トランジスタにアクティブ電流安定回路を付加したことを特徴とする請求項５に記載のテレビスイッチモジュール。
【請求項７】
前記アンプは、
ベースに信号が入力され、コレクタが負荷抵抗を介して電源Ｖｃｃに接続され、コレクタを信号出力端とする、エミッタ接地の信号増幅用トランジスタと、
このトランジスタのコレクタとベースとの間に付加され、負荷抵抗に流れる電流を一定に保つように作用して該トランジスタのコレクタ電位Ｖｃを一定に保持する電流安定回路と、を備えたことを特徴とする請求項６に記載のテレビスイッチモジュール。
【請求項８】
前記電流安定回路は、
少なくとも２個のトランジタユニットから成り、電源Ｖｃｃを抵抗分圧して得られる該電流安定回路用の参照電圧と、信号増幅用トランジスタのコレクタ電位Ｖｃとが等しくなるように作用する回路構成を有することを特徴とする請求項８に記載のテレビスイッチモジュール。
【請求項９】
前記アンプへの電源を、高周波信号が流れるラインからインダクタンスにより供給することを特徴とする請求項５に記載のテレビスイッチモジュール。
【請求項１０】
前記分岐装置は、前記第１のアンプの入力側のラインに配置された一つの装置から成り、
前記リレースイッチは、前記第２のアンプの入力側のラインに配置された一つのスイッチから成り、前記分岐装置による分岐ラインの一つと他方のラインとがそれぞれ接続されるリレーの切換接点と、リレーの共通接点とを有し、この共通接点が前記第２のアンプの入力側のラインに接続され、
前記電源制御手段は、前記第１のアンプには常時、電源を供給し、前記第２のアンプにはスタンバイ回路を通して電源を供給し、
前記スタンバイ回路は、前記第２のアンプに、テレビの電源スイッチＯＮ時に電源を供給し、それ以外の待機時は電源供給を停止することを特徴とする請求項１に記載のテレビスイッチモジュール。
【請求項１１】
前記第１の入力ラインに、映像帯域外に文字情報を含むテレビ信号が入力されているとき、前記第１のアンプの出力ラインは、待機時においても、該文字情報信号を出力可能としたことを特徴とする請求項１０に記載のテレビスイッチモジュール。
【発明の詳細な説明】
【技術分野】
【０００１】  本発明は、テレビ受像機に搭載されるテレビスイッチモジュールに係り、特に、その消費電力の低減及び安定化の技術に関する。
【背景技術】
【０００２】  従来から、ＣＡＴＶ（ｃａｂｌｅ  ｔｅｌｅｖｉｓｉｏｎ）や地上波（Ａｉｒ）ＴＶ等の複数のライン入力信号を特定の出力端子に切換え出力するテレビスイッチモジュールが知られている（例えは、特開平７−１５７１５号公報参照）。この種のテレビスイッチモジュールは、一般に信号増幅用のアンプを内蔵しているが、上記公報には、そのアンプの電力制御に関する記述はない。【０００３】  この種のアンプ内蔵のテレビスイッチモジュールを図１１に示し、以下説明する。このテレビスイッチモジュールは、テレビの高周波信号が各々入力される２つの入力ライン１１，２１（ＩＮＰＵＴ１，ＩＮＰＵＴ２）と、入力信号を増幅するアンプ１２，２２（ＡＭＰ１，ＡＭＰ２）と、入力信号を分岐する分岐装置１３，２３と、その後に接続され信号出力ラインを任意に選択切換える２つのリレースイッチ１６，２６（ＳＷ１，ＳＷ２）と、２つの出力ライン１７，２７（ＯＵＴＰＵＴ１，ＯＵＴＰＵＴ２）と、リレースイッチ１６，２６を切換え動作するとともに、アンプ１２，２２に電源を供給する電源・制御インターフェース３０とを備える。リレースイッチ１６，２６は、分岐装置１３，２３による分岐後のライン１４，１５及び２４，２５がそれぞれ接続されるリレーの切換接点とリレーの共通接点とを有し、この共通接点が各出力ライン１７，２７に接続される。３１はリレー制御線であり、３２はアンプ１２，２２への電源供給線である。【０００４】  このテレビスイッチモジュールは、リレースイッチ１６，２６で４種類の組み合わせを選択することにより、２つの入力ライン１１，２１を、２つの出力ライン１７，２７に選択切換え出力可能とするものである。例えば、入力ライン１１の信号を出力ライン１７へ出力する場合、入力高周波信号は、アンプ１２、リレースイッチ１６を経て、出力ライン１７へ出力される。また、入力ライン２１の信号を出力ライン２７へ出力する場合、入力高周波信号は、アンプ２２、リレースイッチ２６を経て、出力ライン２７へ出力される。入力ライン１１の信号を出力ライン２７へ出力する場合、入力高周波信号は、アンプ１２、リレースイッチ２６を経て、出力ライン２７へ出力される。また、入力ライン２１の信号を出力ライン１７へ出力する場合、入力高周波信号は、アンプ２２、リレースイッチ１６を経て、出力ライン１７へ出力される。これら選択経路の場合、アンプ１２及びアンプ２２には、ともに高周波信号が入力される。【０００５】  他方、入力ライン１１又は入力ライン２１の信号を２つの出力ライン１７，２７へ出力する場合、入力ライン１１から入力された高周波信号は、アンプ１３、リレースイッチ１６及び２６を経て、出力ライン１７及び２７へ、また、入力ライン２１から入力された高周波信号は、アンプ２３、リレースイッチ１６及び２６を経て、出力ライン１７及び２７へ到達する。すなわち、入力ライン１１を出力ライン１７及び２７へ出力する場合、アンプ１２への高周波信号の入力はあるが、アンプ２２への高周波信号の入力はない。また、同様に、入力ライン２１を出力ライン１７及び２７へ出力する場合、アンプ２２への高周波信号の入力はあるが、アンプ１２への高周波信号の入力はない。【０００６��  上記のように、１つの入力から２つの出力をする場合、高周波信号が入力されるアンプのみを動作させる、すなわち高周波信号が入力されるアンプに対してのみ電源を供給することにより、消費電力が削減できることになる。
しかしながら、従来の構成においては、常時、各々のアンプに電源を供給しており、必要以上の電力を消費していることになる。また、従来の構成では、増幅用トランジスタの電流安定化は、抵抗帰還回路による方法が一般に使用されており、増幅用トランジスタの直流電流増幅率のバラツキや変化等に対する電流安定度が不十分であった。このため、増幅用トランジスタの電流が必要以上に大きくなるものがあり、これも必要以上の電力を消費する原因となっていた。【０００７】  ここで、アンプ回路１２，２２の具体例を、図１２に示す。このアンプ回路は、自己バイアス回路と呼ばれるトランジスタを用いたアンプ回路である。トランジスタの電流増幅率ｈｆｅのばらつきにより、アンプ回路の消費電流はばらつきを持つため、その影響をできるだけ小さくするように、自己バイアス回路が工夫されている。【０００８】  このアンプ回路の動作原理を説明する。本回路は、コレクタ電流Ｉｃが増加すると、抵抗ＲＬに生じる電圧降下が大きくなり、それに伴い抵抗ＲＢに流れるベース電流ＩＢが減少し、それに伴いコレクタ電流Ｉｃも減少するように動作する。従って、アンプ回路の消費電流は、以下の関係式で表すことができる。
Ｉｃ＋ＩＢ＝（ｈｆｅ＋１）・（Ｖｃｃ−ＶＢＥ）／（ＲＬ＋ＲＢ＋ｈｆｅ・ＲＬ）【０００９】  この関係式から言えることは、抵抗ＲＬを大きく、また抵抗ＲＢを小さく設定することで、ｈｆｅのばらつきによる影響を小さくすることが可能であるということである。しかしながら、実際は、ｈｆｅのばらつきによる電流のばらつきが無視できる程度まで抵抗ＲＬを大きく、またＲＢを小さくした場合、抵抗ＲＬによる電圧降下が非常に大きくなり、トランジスタを、そのコレクタ電圧が非常に低いところで使うことになり、ダイナミックレンジが確保できなくなる。従って、従来は、ある程度の電流ばらつきを許容して、動作させざるを得なかった。【００１０】  なお、アンプ回路において、カレントミラー回路を追加して、ｈｆｅがばらついても、消費電流を安定化させることが知られている（例えば、特開平１０−７０４１９号公報参照）。この回路においては、信号増幅トランジスタのバイアス電流をカレントミラー回路により供給するように構成している。カレントミラー回路を用いる場合、高周波のトランジスタとバイアス側のトランジスタの性能、特に、ベース・エミッタ電位ＶＢＥを揃える必要がある。これを実現するには、半導体上の近い位置にこれら全てのトランジスタを集積する必要かあり、集積回路の場合には問題ないが、ディスクリートな回路を構成するには不向きであった。そこで、設計の自由度の大きいディスクリートな回路構成にあって、消費電流を安定化させることが要請されていた。
【発明の開示】
【発明が解決しようとする課題】
【００１１】  本発明は、上記問題を解消するもので、簡単な構成でもって、必要なアンプのみを動作させ、消費電力を低減することが可能なテレビスイッチモジュールを提供することを目的とする。また、本発明は、アンプ回路にその消費電流を安定させる回路を搭載することで、設計の自由度が確保しつつ、トランジスタの電流増幅率のばらつきにより生じる、アンプ回路の消費電流のばらつきを抑えることが可能な、テレビスイッチモジュールを提供することを目的とする。
【課題を解決するための手段】
【００１２】  上記目的を達成するために本発明は、テレビの高周波信号の出力ラインを切換えるテレビスイッチモジュールにおいて、テレビの高周波信号が各々入力される第１及び第２の入力ラインと、同信号の増幅後の信号を出力する第１及び第２の出力ラインと、前記各入力ラインに介挿され、入力信号を各々増幅する第１及び第２のアンプと、前記第１又は第２のアンプの入力側又は出力側の少なくとも一つのラインに配置され、入力信号を分岐する分岐装置と、前記とは別のもう一つのラインに配置され、信号を出力する出力ラインとして、前記分岐装置による分岐ライン又は当該ラインのいずれかに切換えるリレースイッチと、外部からの操作に基づいて前記リレースイッチを切換え動作させるリレースイッチ制御手段と、前記各アンプへの電源供給を制御し、使用しない入力ラインに介挿されたアンプへの電源供給を停止させる電源制御手段と、を備えたものである。【００１３】  本発明によれば、いずれか一方の入力ラインに入力された信号を２つの出力ラインへ出力する場合は、両方のアンプに電源を供給するが、いずれか一方の入力ラインに入力された信号を１つの出力ラインへ出力する場合は、電源供給が必要なアンプのみに電源を供給し、他方のラインに介挿されたアンプには電源を供給しないので、テレビスイッチモジュールを低消費電力化することができる。【００１４】  また、アンプへの電力供給を、リレースイッチを介して高周波信号が通るラインに重畳して行うものとすれば、アンプへの電源スイッチと高周波経路のスイッチとを兼用でき、かつ、複雑な制御信号線の配線を省略でき、コストダウンが図れる。また、アクティブ電流安定回路を付加した場合、消費電流はほぼ一定になる。また、インダクタンスを介して高周波リレー回路に直流電流を重畳、分離することで、アンプに電源を供給することにより、動作不要のアンプの電流供給を停止する回路の構成が簡単になる。【００１５】  また、アンプに電流安定化回路を備えることで、トランジスタのｈｆｅのばらつきを気にすることなく、定消費電力化を実現することができる。このことにより、モジュールの最大消費電力値も、従来回路と比較して抑えることができる。しかも、設計の自由度が大きいディスクリートな回路構成にあって、上記作用を達成することができる。また、電流安定化回路は、信号増幅トランジスタのコレクタ電位Ｖｃが参照電圧になるように動作するので、負荷抵抗の抵抗値を高精度なもの（一般に、ばらつきは少ない）ものに設定すれば、負荷抵抗を流れる電流はほぼ一定になり、定消費電力化を実現することができる。【００１６】  さらに、本発明の特徴によれば、前記分岐装置は、前記第１のアンプの入力側のラインに配置された一つの装置から成り、前記リレースイッチは、前記第２のアンプの入力側のラインに配置された一つのスイッチから成り、前記分岐装置による分岐ラインの一つと他方のラインとがそれぞれ接続されるリレーの切換接点と、リレーの共通接点とを有し、この共通接点が前記第２のアンプの入力側のラインに接続され、前記電源制御手段は、前記第１のアンプには常時、電源を供給し、前記第２のアンプにはスタンバイ回路を通して電源を供給し、前記スタンバイ回路は��前記第２のアンプに、テレビの電源スイッチＯＮ時に電源を供給し、それ以外の待機時は電源供給を停止する。これにより、テレビスイッチモジュールの低消費電力化を図りつつ、例えば、第１の入力ラインに、映像帯域外に文字情報を含むテレビ信号が入力されているとき、第１のアンプの出力ラインは、待機時においても、該文字情報信号を出力することができる。
【発明を実施するための最良の形態】
【００１７】  以下、本発明の実施形態によるテレビスイッチモジュール（以下、ＲＦモジュールという）について図面を参照して説明する。【００１８】（第１の実施形態）
図１は、第１の実施形態によるＲＦモジュールのブロック構成を、図２は同ＲＦモジュールの回路を示す。ＲＦモジュール１０１は、テレビに内蔵され、テレビの高周波信号が各々入力される第１の入力端子ＩＮＰＵＴ１、及び第２の入力端子ＩＮＰＵＴ２と、同信号を出力する第１の出力端子ＯＵＴＰＯＴ１、及び第２の出力端子ＯＵＴＰＵＴ２を持つ。第１の入力端子ＩＮＰＵＴ１には、例えば、ＣＡＴＶケーブルが接続され、第２の入力端子ＩＮＰＵＴ２には、地上波（Ａｉｒ）アンテナケーブルが接続される。第１の入力端子ＩＮＰＵＴ１と第２の入力端子ＩＮＰＵＴ２との間は、アイソレーションのために所定距離だけ間隔をおく必要がある。第１の出力端子ＯＵＴＰＯＴ１及び第２の出力端子ＯＵＴＰＵＴ２には、それぞれチューナ５１，５２が接続される。【００１９】  ＲＦモジュール１０１は、第１の入力端子ＩＮＰＵＴ１が接続された第１の入力ライン１１及び第２の入力端子ＩＮＰＵＴ２が接続された第２の入力ライン２１と、第１の出力端子ＯＵＴＰＯＴ１に接続される第１の出力ライン１７及び第２の出力端子ＯＵＴＰＵＴ２に接続される第２の出力ライン２７と、各入力ライン１１，２１に介挿され、各入力ライン１１，２１に入力された信号を各々増幅する第１のアンプ１２（ＡＭＰ１）及び第２のアンプ２２（ＡＭＰ２）と、各アンプ出力信号を分岐する分岐装置１３，２３と、出力ラインを切換える第１のリレースイッチ１６（ＳＷ１）及び第２のリレースイッチ２６（ＳＷ２）とを備える。さらに、ＲＦモジュール１０１は、第１及び第２のアンプ１２，２２への電源供給ライン３２をそれぞれ開閉する電源スイッチ３３（ＳＷ３）及び電源スイッチ３４（ＳＷ４）と、電源・制御インターフェース３０（リレースイッチ制御手段・電源制御手段）とを備える。【００２０】  第１及び第２のリレースイッチ１６，２６は、リレー（ＲＥＬＡＹ）による機械的開閉スイッチである。分岐装置１３の分岐ライン１４，１５、及び分岐装置２３の分岐ライン２４，２５は、それぞれ２つのリレースイッチ１６，２６の各リレー（ＲＥＬＡＹ）の切換接点に接続され、各リレーの共通接点は、それぞれ第１の出力ライン１７及び第２の出力ライン２７とされる。ここに、各分岐装置１３，２３の分岐ライン１５，２５は、互いに他方のライン側にクロスして接続される。リレーの制御信号線３１は、第１及び第２のリレースイッチ１６，２６に対する制御信号線である。アンプ１２，２２へは電源を供給する電源供給線３２が結線されている。電源スイッチ３３及び電源スイッチ３４は、電源制御信号線３５，３６により伝えられる開閉制御信号により開閉される。【００２１】  電源・スイッチ制御インターフェース３０は、必要なアンプに対しては電源を供給するが、使用しないアンプに対しては電源を供給しない、つまり、電源を停止させるものである。従って、第１の入力ライン１１に入力された信号を第１及び第２の出力ライン１７，２７へ出力する場合は、第３のスイッチ３３のみをＯＮさせる。また、第２の入力ライン２１に入力された信号を同じく第１及び第２の出力ライン１７，２７へ出力する場合は、第４のスイッチ３４のみをＯＮさせる。【００２２】  このように、入出力の組���合わせを決定するリレースイッチ１６，２６と連動して動作するアンプ１２，２２の電源スイッチ３３，３４が設けられている点が、本発明の１つの特徴である。【００２３】  上記回路構成の具体的な動作を次に説明する。第１の入力ライン１１への入力を第１の出力ライン１７へ出力し、第２の入力ライン２１への入力を第２の出力ライン２７へそれぞれ出力する場合は、電源スイッチ３３，３４ともにＯＮ状態となり、アンプ１２，２２に電源を供給する。また、第１の入力ライン１１への入力を第２の出力ライン２７へ出力し、第２の入力ライン２１への入力を第１の出力ライン１７へ出力する場合も同様に、電源スイッチ３３，３４ともにＯＮ状態となり、アンプ１２，２２に電源を供給する。しかし、第１の入力ライン１１への入力を第１及び第２の出力ライン１７，２７へ出力する場合は、電源スイッチ３３のみをＯＮさせる。また、第２の入力ライン２１への入力を第１及び第２の出力ライン１７，２７へ出力する場合は、電源スイッチ３４のみをＯＮさせればよい。本構成のＲＦモジュールにより、必要最低限の消費電力で運用することが可能になる。【００２４】（第２の実施形態）
図３は、第２の実施形態によるＲＦモジュールを示す。このＲＦモジュールは、上記第１の実施形態におけるアンプへの電源スイッチ３３，３４の機能を、メカニカルな開閉スイッチであるリレースイッチ１６，２６でまかなうように、すなわち、高周波経路のスイッチと兼用するように構成したものである。具体的には、第１及び第２のアンプ１２，２２への電源を、高周波で電源供給ライン３２により高周波信号が通る出力ライン１７，２７に重畳し、リレースイッチ１６，２６を介して供給するようにした。【００２５】  この実施形態は、高周波信号ラインに電源を重畳することがポイントであり、リレースイッチ１６，２６がメカニカルリレーである場合に実施することができる。メカニカルリレーの場合、高周波信号の他に、各アンプ１２，２２に供給する電源も重畳して通過させることが可能であるため、高周波信号ライン上に重畳された電源は、リレースイッチ１６，２６を介してアンプ１２，２２に供給される。【００２６】  この実施形態によれば、上記第１の実施形態と同様に、必要最低限の消費電力で運用することが可能になるとともに、個々のアンプ１２，２２に対して電源スイッチ（第１の実施形態の３３，３４）を用意する必要もなく、また電源スイッチ用の制御信号線（第１の実施形態の３５，３６）も必要ないため、電源スイッチのコストダウンと、配線が少なくなることによるレイアウトの簡単化も実現できる。【００２７】  図４は、上記第１及び第２の実施形態で使用するアンプ１２，２２の１つの回路例を示す。このアンプ回路は、信号増幅トランジスタＴｒの電流増幅率のばらつきとは無関係に、消費電流を安定させることを可能とするものである。同トランジスタＴｒのベースがアンプ回路の入力端ＲＦｉｎであり、コレクタが出力端ＲＦｏｕｔであり、同トランジスタＴｒのコレクタとベースとの間にアクティブ電流安定化回路が接続されている。電流安定化回路は、Ｖｃｃを電源とし、トランジスタＴｒ１，Ｔｒ２と、参照電圧Ｖｒｅｆ発生用の分圧抵抗Ｒ１，Ｒ２等を含む。トランジスタＴｒ２のベースには参照電圧Ｖｒｅｆが与えられ、トランジスタＴｒ１のエミッタがトランジスタＴｒのコレクタ（コレクタ電位Ｖｃ）に接続され、トランジスタＴｒ１のコレクタが抵抗ＲＢを介して信号増幅トランジスタＴｒのベースに接続されている。【００２８】  この電流安定化回路の動作原理を説明する。信号増幅トランジスタＴｒのコレクタ電位Ｖｃは、トランジスタＴｒ１のベース電位を基準電圧Ｖ’ｒｅｆとした場合、Ｖｃ＝Ｖ’ｒｅｆ＋Ｖｂｅ１と表すことができる。また、トランジスタＴｒ１のベース電位Ｖ’ｒｅｆは、Ｖ’ｒｅｆ＝Ｖｒｅｆ−Ｖｂｅ２（ここに、トランジスタＴｒ２のベース電位はＶｒｅｆ）で表すことができる。ここで、トランジスタＴｒ１及びＴｒ２は２石を集積したトランジスタユニットであり、限りなくＶｂｅ１＝Ｖｂｅ２であるとすると、
Ｖｃ＝Ｖ’ｒｅｆ＋Ｖｂｅ１＝Ｖｒｅｆ−Ｖｂｅ２＋Ｖｂｅ１＝Ｖｒｅｆとなる。参照電圧Ｖｒｅｆは、抵抗Ｒ１とＲ２の精度により決定される。【００２９】  従って、抵抗ＲＬ及びＲ１、Ｒ２の抵抗値を高精度なもの（一般に、ばらつきは少ない）ものに設定すれば、この電流安定化回路は、信号増幅トランジスタＴｒのコレクタ電位Ｖｃが参照電圧Ｖｒｅｆになるように動作する。かくして、抵抗ＲＬを流れる電流（ＩＣ＋ＩＢ）はほぼ一定になり、その結果、動作させるアンプのトランジスタの電流を必要最小に設定でき、バラツキにより不必要に消費電力を増大するのを防止できる。【００３０】  アクティブ電流安定化回路は、エミッタ電流検出型も使用できる。その例を図５に示す。この電流安定化回路は、信号増幅トランジスタＴｒのエミッタ電流を検出して、その電流を一定に制御するもので、トランジスタＴｒ３，Ｔｒ４、ダイオードＤ１，Ｄ２を有する。ここに、トランジスタＴｒ３のベース電位ＶＢは、ＶＢ＝ＶＤ＋Ｖｒｅｆであり、信号増幅トランジスタＴｒのエミッタ電位ＶＥ（＝ＶＢ−ＶＤ）は、Ｖｒｅｆに近似値となり、エミッタ電流ＩＥは、Ｖｒｅｆ／ＲＥに近似値となり、一定値となる。【００３１】  図６は、図３の実施形態構成に図４のアンプ回路を具体的に配置した回路を示す。ここでは、アンプ２２（ＡＭＰ２）側を詳細に示しており、アンプ１２（ＡＭＰ１）側については詳細図示を省略している。リレースイッチ１６，２６を介して供給される電源は、直流分を通過するバイアスティー４０の直列インダクタンスＬ成分を介して高周波ラインから分離され、アンプ２２（ＡＭＰ２）に供給されるようにしている。インダクタンスを介して高周波リレー回路に直流電流を重畳、分離して、アンプに電源を供給することにより、動作不要のアンプへの電流供給を停止する回路の構成を簡単化することができる。【００３２】  次に、本発明の実施形態に係るＲＦモジュールに用いられるアンプ回路を説明する。図７は、アンプ回路構成を示す。本回路は、信号増幅トランジスタＴｒのコレクタ電位Ｖｃを一定に保持するように働くアクティブ電流安定回路、ここでは定電圧回路１０を信号増幅トランジスタＴｒに付加し、負荷抵抗ＲＬを流れる電流を一定に保つことにある。ＩＮは信号入力端、ＯＵＴは信号出力端である。この回路構成の場合、消費電流のばらつきは、外部から印加される電圧Ｖｃｃと、定電圧回路の電圧Ｖｃの精度、負荷抵抗ＲＬの精度により決定され、トランジスタＴｒの電流増幅率ｈｆｅは関係ない。【００３３】  図８は、アンプ回路における定電圧回路１０の具体的構成を示す。定電圧回路１０の構成と動作原理を説明する。電圧Ｖｃは、トランジスタＴｒ１のベース電圧を基準電圧Ｖ’ｒｅｆとした場合、Ｖｃ＝Ｖ’ｒｅｆ＋ＶＢＥ１と表すことができる。また、トランジスタＴｒ１のベース電圧であるＶ’ｒｅｆは、トランジスタＴｒ２のベース電圧であるＶｒｅｆ−ＶＢＥ２で表すことができる。ここで、トランジスタＴｒ１およびトランジスタＴｒ２は２石を集積したトランジスタユニットであり、限りなくＶＢＥ１＝ＶＢＥ２であるとすると、Ｖｃ＝Ｖ’ｒｅｆ＋ＶＢＥ１＝Ｖｒｅｆ−ＶＢＥ２＋ＶＢＥ１＝Ｖｒｅｆとなる。Ｖｒｅｆは、抵抗Ｒ１��抵抗Ｒ２の精度により決定される。【００３４】  このことにより、抵抗ＲＬ及びＲ１、Ｒ２の抵抗値を高精度なもの（一般に、ばらつきは少ない）ものに設定すれば、この定電圧回路１０は、信号増幅トランジスタＴｒのコレクタ電位Ｖｃが参照電圧Ｖｒｅｆになるように動作する。かくして、抵抗ＲＬを流れる電流（ＩＣ＋ＩＢ）はほぼ一定になり、その結果、アンプのトランジスタの電流を必要最小に設定でき、バラツキにより不必要に消費電力を増大するのを防止でき、また、最大消費電力値も、従来回路と比較して抑えることができる。【００３５】  具体的には、抵抗ＲＬおよびＲ１、Ｒ２の抵抗値を高精度なものに設定、例えば１％精度品の場合を考える。抵抗Ｒ１が１０１％、抵抗Ｒ２が９９％、抵抗ＲＬが９９％のとき、消費電流は最大になる。この場合、規格通りの抵抗値の場合と比較して、２．０２％消費電流が増えるだけである。また、本発明は、設計の自由度が大きいディスクリートな回路構成にあって上記作用効果が得られる。【００３６】（第３の実施形態）
図９は、本発明の第３の実施形態によるＲＦモジュールのブロック構成を示す。本実施形態は、上述の図１に示した第１の実施形態と基本的には同等の構成であるが、一部の構成及び機能を相違する。すなわち、第１の実施形態のＲＦモジュール１０１においては、各２つの分岐装置１３，２３とリレースイッチ１６，２６とが、２つのラインにそれぞれ介挿されたアンプ１２，２２の出力側にそれぞれ配置され、各分岐ラインが他方側にクロスして接続されている。それに対して、この第３の実施形態のＲＦモジュール１０２においては、各１つの分岐装置１３とリレースイッチ２６とが、一方のラインに介挿された第１のアンプ１２の入力側と、他方のラインに介挿された第２のアンプ２２の入力側に各々配置され、１つの分岐ライン１５のみが他方側のラインに接続されている。なお、このＲＦモジュール１０２は、第２のアンプ２２の出力ラインに配置された分岐装置２３０を持ち、これにより第２及び第３の出力ライン２７１，２７２を形成し、これらラインの出力端子ＯＵＴＰＯＴ２及びＯＵＴＰＵＴ３にチューナ５２，５３が接続される。【００３７】  図１０は、同上第３の実施形態によるＲＦモジュールの回路を示す。分岐装置１３は、第１のアンプ１２の入力側の第１のライン１１に配置されている。リレースイッチ２６は、第２のアンプ２２の入力側のラインに配置されており、分岐装置１３による分岐ライン１５と他方の第２の入力ライン２１とがそれぞれ接続されるリレーの切換接点（ＮＣ，ＮＯ）と、リレーの共通接点とを有し、この共通接点が第２のアンプ２２の入力側ラインに接続されている。【００３８】  第１のアンプ１２には、電源端子３０Ｃに印加される電源を、電源供給線３２を通して常時供給し、第２のアンプ２２には、電源供給線３２中に設けた電子スイッチであるスタンバイ回路３０２を介して電源を供給制御する。スタンバイ回路３０２は、スタンバイ信号端子３０Ｂに与えられた信号に応じて開閉動作する。スタンバイ信号端子３０Ｂには、テレビの電源スイッチＯＮ時にスタンバイ回路３０２を閉じ（電源供給）、それ以外の待機時にはスタンバイ回路３０２を開く（電源供給停止）ように信号が与えられる。これらスタンバイ回路３０２を含む構成は、アンプへの電源供給を制御する電源制御手段を構成している。【００３９】  リレースイッチ２６は、電子スイッチであるリレードライブ回路３０１により切り替え制御される。リレードライブ回路３０１は、制御信号端子３０Ａへの入力信号に応じてリレー制御信号線３１を通して制御される。制御信号端子３０Ａには、ユーザの操作指示に基づく信号が入力される。リレースイッチ２６は、通常時はＮＣ接点により、第１の入力ライン１１からの分岐ライン１５を、第２のアンプ２２の介挿されているラインに接続している。ここで、制御信号端子３０Ａにユーザの操作指示の信号が与えられると、リレードライブ回路３０１が動作して、リレースイッチ２６はＮＯ接点側に切り替り、第２の入力ライン２１を、第２のアンプ２２の介挿されているラインに接続する。こうして、ユーザは、第２及び第３の出力ライン２７１，２７２に出力させる内容を任意に変更することができる。【００４０】  上記のように構成さ���た本実施形態のＲＦモジュール１０２においては、第１のアンプ１２には常時電源を供給し、第２のアンプ２２にはスタンバイ時には電源供給を停止し、必要な時にのみ電源を供給することができる。それにより、ＲＦモジュール１０２の低消費電力化が図れる。また、第１のアンプ１２に常時電源が供給されていることから、第１の入力ライン１１に、ＣＡＴＶの信号が入力されていると、待機時においても、ＣＡＴＶの映像帯域外（アウトオブバンド）に含まれる文字情報信号を、第１の出力ライン１７に出力することができる。【００４１】  本発明は、上記実施形態の構成に限られず、種々の変形が可能であり、例えば、電流安定化回路の構成や、その電源供給の構成は任意の形態を採用可能である。また、電源供給のためのインダクタンスは、直列インダクタンスに代えて、フェライトピースのように、高周波では殆ど抵抗成分となる素子であってもよく、そのようなものを含む概念である。また、例えば、電流安定化回路の構成や、その電源供給の構成は任意の形態を採用可能である。
産業上の利用の可能性【００４２】  本発明は、ＣＡＴＶや地上波ＴＶ等の複数のライン入力信号を特定の出力端子に切換え出力するＲＦスイッチモジュールに利用される。
【図面の簡単な説明】
【００４３】［図１］本発明の第１の実施形態によるＲＦモジュールのブロック図。
［図２］同上ＲＦモジュールの回路図。
［図３］本発明の第２の実施形態によるＲＦモジュールの回路図。
［図４］第１及び第２の実施形態で使用するアンプの回路例を示す図。
［図５］アンプの他の回路例を示す図。
［図６］図２の実施形態に図４のアンプ回路を具体的に配置した回路図。
［図７］本発明の実施形態によるＲＦモジュールのアンプの回路図。
［図８］同上アンプの一例を示す回路図。
［図９］本発明の第３の実施形態によるＲＦモジュールのブロック図。
［図１０］同上ＲＦモジュールの回路図。
［図１１］従来のＲＦモジュールの構成図。
［図１２］従来のＲＦモジュールのアンプの回路図。
【図１】
2005104350.tif 000002
【図２】
2005104350.tif 000003
【図３】
2005104350.tif 000004
【図４】
2005104350.tif 000005
【図５】
2005104350.tif 000006
【図６】
2005104350.tif 000007
【図７】
2005104350.tif 000008
【図８】
2005104350.tif 000009
【図９】
2005104350.tif 000010
【図１０】
2005104350.tif 000011
【図１１】
2005104350.tif 000012
【図１２】
2005104350.tif 000013
【国際調査報告】
2005104350.tif 000014
2005104350.tif 000015
2005104350.tif 000016
2005104350.tif 000017